(57)【要約】【課題】生産現場の有効な保全を支援する。【解決手段】統合データ管理装置１は、データ格納部２１０、階層分類データを格納する階層分類データ格納部２２０、マッピングデータを格納するマッピングデータ格納部２３０及び情報出力部３０を備える。データ格納部２１０には、生産現場に設けられる複数の管理対象に関する管理対象データのうちの第１データ収集手段によって収集された第１管理データ及び第２データ収集手段によって収集された第２管理データが格納される。情報出力部３０は、複数の管理対象を階層的に分類するための階層分類データに基づいて、複数の管理対象を階層的に分類して出力し、複数の管理対象と第１管理データ及び第２管理データとを関連付けるためのマッピングデータに基づいて、複数の管理対象の第１管理データ及び第２管理データの少なくとも一方をデータ格納部２１０から抽出して、管理対象に関する情報を出力する。【選択図】図４
2022000736.tif 000002
【特許請求の範囲】
【請求項１】
生産現場に設けられる複数の管理対象に関する管理対象データのうちの第１データ収集手段によって収集された第１管理データ、及び、前記管理対象データのうちの前記第１データ収集手段とは異なる第２データ収集手段によって収集された第２管理データが格納されるデータ格納部と、
前記複数の管理対象を階層的に分類するための階層分類データが格納される階層分類データ格納部と、
前記複数の管理対象と前記第１管理データ及び前記第２管理データとを関連付けるためのマッピングデータが格納されるマッピングデータ格納部と、
前記階層分類データに基づいて、前記複数の管理対象を階層的に分類して出力する情報出力部と、
を備え、
前記情報出力部は、前記マッピングデータに基づいて、階層的に分類された前記複数の管理対象に関連付けられた前記第１管理データ及び前記第２管理データの少なくとも一方を前記データ格納部から抽出して、抽出した前記第１管理データ及び前記第２管理データの少なくとも一方に基づいて前記管理対象に関する情報を出力する統合データ管理装置。
【請求項２】
前記階層分類データは、
第１分類方法に則って前記複数の管理対象を階層的に分類するための第１階層分類データと、
前記第１分類方法とは異なる観点の第２分類方法に則って前記複数の管理対象を階層的に分類するための第２階層分類データと、
を含み、
前記情報出力部は、前記第１階層分類データ又は前記第２階層分類データに基づいて、前記複数の管理対象を階層的に分類して出力する、請求項１に記載の統合データ管理装置。
【請求項３】
前記第１分類方法は、物理的な構成に基づいて前記複数の管理対象を階層的に分類する方法である、請求項２に記載の統合データ管理装置。
【請求項４】
前記第２分類方法は、利用者の観点に基づいて前記複数の管理対象を階層的に分類する方法である、請求項２又は請求項３に記載の統合データ管理装置。
【請求項５】
前記第１管理データは、第１外部データベースに格納され、
前記第２管理データは、前記第１外部データベースとは異なる第２外部データベースに格納され、
前記第１外部データベースから前記第１管理データを収集し、前記第２外部データベースから前記第２管理データを収集するデータ収集部を更に備える、
請求項１から請求項４のいずれか１項に記載の統合データ管理装置。
【請求項６】
前記データ収集部は、前記第１管理データと前記第２管理データとを、共通する１種類のキーを併合して一意に順序付けることによって、前記管理対象データを対照させることができる形態で前記データ格納部に格納する、
請求項５に記載の統合データ管理装置。
【請求項７】
前記データ格納部は、前記第１管理データに含まれるデータが格納される第１レコードと、前記第２管理データに含まれるデータが格納される第２レコードとを含み、
前記第１レコード及び前記第２レコードのそれぞれは、複数のフィールドを含み、
前記第１レコードの先頭フィールド及び前記第２レコードの先頭フィールドのそれぞれには、日時を示すデータが格納される、
請求項６に記載の統合データ管理装置。
【請求項８】
前記管理対象データは、一定の時間間隔で収集される周期データ群を含み、
前記管理対象データは、異なる前記時間間隔で収集された前記周期データ群で構成される異周期データ群を含み、
前記情報出力部は、前記異周期データ群を出力する際、出力対象の前記異周期データ群のうち、最短の前記時間間隔の前記周期データ群を除く前記異周期データ群を補間する、
請求項１から請求項７のいずれか１項に記載の統合データ管理装置。
【請求項９】
生産現場に設けられる複数の管理対象に関する管理対象データのうちの第１データ収集手段によって収集された第１管理データ、及び、前記管理対象データのうちの前記第１データ収集手段とは異なる第２データ収集手段によって収集された第２管理データをデータ格納部に格納するデータ格納ステップと、
前記複数の管理対象を階層的に分類するための階層分類データに基づいて、前記複数の管理対象を階層的に分類して出力する階層化出力ステップと、
前記複数の管理対象と前記第１管理データ及び前記第２管理データとを関連付けるためのマッピングデータに基づいて、階層的に分類された前記複数の管理対象に関連付けられた前記第１管理データ及び前記第２管理データの少なくとも一方を前記データ格納部から抽出して、抽出した前記第１管理データ及び前記第２管理データの少なくとも一方に基づいて前記管理対象に関する情報を出力する管理対象情報出力ステップと、
を含む統合データ管理方法。
【請求項１０】
前記階層分類データは、
第１分類方法に則って前記複数の管理対象を階層的に分類するための第１階層分類データと、
前記第１分類方法とは異なる観点の第２分類方法に則って前記複数の管理対象を階層的に分類するための第２階層分類データと、
を含み、
前記階層化出力ステップでは、前記第１階層分類データ又は前記第２階層分類データに基づいて、前記複数の管理対象が階層的に分類されて出力される、請求項９に記載の統合データ管理方法。
【請求項１１】
請求項９又は請求項１０に記載の統合データ管理方法をコンピュータに実行させる統合データ管理プログラム。
【発明の詳細な説明】
【技術分野】
【０００１】
本発明は、統合データ管理装置、統合データ管理方法及び統合データ管理プログラムに関する。
【背景技術】
【０００２】
製鉄所などの生産現場では、安定した稼働が求められる。生産現場を安定して稼働させるためには、生産現場に設けられた機器などの生産設備に関するデータを把握して分析し、分析結果に基づいて保全する必要がある。生産現場に設けられる生産設備は複数であり、複数の生産設備の状態を把握するには多くの労力が必要である。このため、複数の生産設備の状態を把握するための様々な技術が提案されている。例えば、特許文献１には、点検情報、整備指示情報などの保全情報を管理する保全情報管理システムが開示されている。特許文献１に開示の保全情報管理システムでは、点検員が点検の際に収集した点検情報、整備員が整備時に収集した整備情報などが蓄積されている。
【先行技術文献】
【特許文献】
【０００３】
【特許文献１】特開２０１５−４６１１９号公報
【発明の概要】
【発明が解決しようとする課題】
【０００４】
生産現場では、点検員、整備員などの作業員が収集するデータに加え、機器の状態を監視する監視機器によって収集されるデータなど、様々なデータ収集手段によってデータが収集される。しかしながら、特許文献１に開示された保全情報管理システムには、例えば、監視機器によって収集されたデータなど、他の収集手段によって収集されたデータが蓄積されていない。このため、作業員は、様々なデータ収集手段によって収集されたデータを横断的に把握することができない。
【０００５】
本発明は、上記課題に鑑みてなされたものであり、様々なデータ収集手段によって収集されたデータを統合して管理することにより、生産現場の有効な保全を支援できる統合データ管理装置、統合データ管理方法及び統合データ管理プログラムを提供することを目的とする。
【課題を解決するための手段】
【０００６】
上記目的を達成するために、本発明の第１の観点に係る統合データ管理装置は、データ格納部と、階層分類データ格納部と、マッピングデータ格納部と、情報出力部と、を備える。前記データ格納部には、生産現場に設けられる複数の管理対象に関する管理対象データのうちの第１データ収集手段によって収集された第１管理データ、及び、前記管理対象データのうちの前記第１データ収集手段とは異なる第２データ収集手段によって収集された第２管理データが格納される。前記階層分類データ格納部には、前記複数の管理対象を階層的に分類するための階層分類データが格納される。前記マッピングデータ格納部には、前記複数の管理対象と前記第１管理データ及び前記第２管理データとを関連付けるためのマッピングデータが格納される。前記情報出力部は、前記階層分類データに基づいて、前記複数の管理対象を階層的に分類して出力する。前記情報出力部は、前記マッピングデータに基づいて、階層的に分類された前記複数の管理対象に関連付けられた前記第１管理データ及び前記第２管理データの少なくとも一方を前記データ格納部から抽出して、抽出した前記第１管理データ及び前記第２管理データの少なくとも一方に基づいて前記管理対象に関する情報を出力する。
【０００７】
前記階層分類データは、第１分類方法に則って前記複数の管理対象を階層的に分類するための第１階層分類データと、前記第１分類方法とは異なる観点の第２分類方法に則って前記複数の管理対象を階層的に分類するための第２階層分類データと、を含み、前記情報出力部は、前記第１階層分類データ又は前記第２階層分類データに基づいて、前記複数の管理対象を階層的に分類して出力してもよい。
【０００８】
前記第１分類方法は、物理的な構成に基づいて前記複数の管理対象を階層的に分類する方法であってもよい。
【０００９】
前記第２分類方法は、利用者の観点に基づいて前記複数の管理対象を階層的に分類する方法であってもよい。
【００１０】
前記第１管理データは、第１外部データベースに格納され、前記第２管理データは、前記第１外部データベースとは異なる第２外部データベースに格納され、前記第１外部データベースから前記第１管理データを収集し、前記第２外部データベースから前記第２管理データを収集するデータ収集部を更に備えてもよい。
【００１１】
前記データ収集部は、前記第１管理データと前記第２管理データとを、共通する１種類のキーを併合して一意に順序付けることによって、前記管理対象データを対照させることができる形態で前記データ格納部に格納してもよい。
【００１２】
前記データ格納部は、前記第１管理データに含まれるデータが格納される第１レコードと、前記第２管理データに含まれるデータが格納される第２レコードとを含み、前記第１レコード及び前記第２レコードのそれぞれは、複数のフィールドを含み、前記第１レコードの先頭フィールド及び前記第２レコードの先頭フィールドのそれぞれには、日時を示すデータが格納されてもよい。
【００１３】
前記管理対象データは、一定の時間間隔で収集される周期データ群を含み、前記管理対象データは、異なる前記時間間隔で収集された前記周期データ群で構成される異周期データ群を含み、前記情報出力部は、前記異周期データ群を出力する際、出力対象の前記異周期データ群のうち、最短の前記時間間隔の前記周期データ群を除く前記異周期データ群を補間してもよい。
【００１４】
上記目的を達成するために、本発明の第２の観点に係る統合データ管理方法は、
生産現場に設けられる複数の管理対象に関する管理対象データのうちの第１データ収集手段によって収集された第１管理データ、及び、前記管理対象データのうちの前記第１データ収集手段とは異なる第２データ収集手段によって収集された第２管理データをデータ格納部に格納するデータ格納ステップと、
前記複数の管理対象を階層的に分類するための階層分類データに基づいて、前記複数の管理対象を階層的に分類して出力する階層化出力ステップと、
前記複数の管理対象と前記第１管理データ及び前記第２管理データとを関連付けるためのマッピングデータに基づいて、階層的に分類された前記複数の管理対象に関連付けられた前記第１管理データ及び前記第２管理データの少なくとも一方を前記データ格納部から抽出して、抽出した前記第１管理データ及び前記第２管理データの少なくとも一方に基づいて前記管理対象に関する情報を出力する管理対象情報出力ステップと、
を含む。
【００１５】
前記階層分類データは、第１分類方法に則って前記複数の管理対象を階層的に分類するための第１階層分類データと、前記第１分類方法とは異なる観点の第２分類方法に則って前記複数の管理対象を階層的に分類するための第２階層分類データと、を含み、前記階層化出力ステップでは、前記第１階層分類データ又は前記第２階層分類データに基づいて、前記複数の管理対象が階層的に分類されて出力されてもよい。
【００１６】
上記目的を達成するために、本発明の第３の観点に係る統合データ管理プログラムは、上記の統合データ管理方法をコンピュータに実行させる。
【発明の効果】
【００１７】
本発明によれば、様々なデータ収集手段によって収集されたデータを統合して管理することにより、生産現場の有効な保全を支援できる。
【図面の簡単な説明】
【００１８】
【図１】本発明の実施の形態に係る統合データ管理装置の概略を示す図である。
【図２Ａ】実施の形態に係る第１外部テーブルの一例を示す図である。
【図２Ｂ】実施の形態に係る第２外部テーブルの一例を示す図である。
【図３】実施の形態に係る統合データ管理装置のハードウェア構成を示すブロック図である。
【図４】実施の形態に係る統合データ管理装置の機能を示すブロック図である。
【図５】（ａ）は、実施の形態に係る第１収集テーブルの一例を示す図であり、（ｂ）は、実施の形態に係る第２収集テーブルの一例を示す図である。
【図６】（ａ）は、実施の形態に係る基本分類方法を説明するための図であり、（ｂ）は、実施の形態に係る基本分類テーブルの一例を示す図である。
【図７】（ａ）は、実施の形態に係る拡張分類方法を説明するための図であり、（ｂ）は、実施の形態に係る拡張分類テーブルの一例を示す図である。
【図８】実施の形態に係るマッピングテーブルの一例を示す図である。
【図９】実施の形態に係る管理対象データ確認画面の一例を示す図である。
【図１０】実施の形態に係る管理対象データ確認画面の一例を示す図である。
【図１１】実施の形態に係る管理対象データ確認画面の一例を示す図である。
【図１２】実施の形態に係る管理対象データ確認画面の一例を示す図である。
【図１３】実施の形態に係る管理対象データ確認画面の一例を示す図である。
【図１４】実施の形態に係るデータファイルの一例を示す図である。
【図１５】実施の形態に係る情報出力処理を示すフローチャートである。
【図１６】実施の形態に係る階層化出力処理を示すフローチャートである。
【図１７】実施の形態に係る管理対象情報出力処理を示すフローチャートである。
【図１８】（ａ）及び（ｂ）は、実施の形態に係る管理対象データの補間を説明するための図である。
【発明を実施するための形態】
【００１９】
以下、図面を参照して本発明に係る統合データ管理装置、統合データ管理方法及び統合データ管理プログラムの実施の形態について説明する。なお、図中、同一又は相当部分には、同一符号を付す。
【００２０】
図１は、本発明の実施の形態に係る統合データ管理装置の概略を示す図である。統合データ管理装置１は、例えば、製鉄所のような生産現場Ｓに設けられる複数の管理対象Ｍに関するデータを管理する。以下、管理対象Ｍに関するデータを「管理対象データＤ」という。
【００２１】
複数の管理対象Ｍは、例えば、工場、生産ライン、工程、設備、機器などを含む。機器は、例えば、モータ、減速機などの作動する機械を含む。１つの管理対象Ｍに関する管理対象データＤは、例えば、振動数のデータ、温度のデータ、電流値のデータなど複数種類のデータを含む。以下、管理対象Ｍのある種類のデータを、「種類別データ」という。
【００２２】
管理対象データＤは、生産現場Ｓから収集されて第１外部データベースＧＤ１及び第２外部データベースＧＤ２に格納されている。第１外部データベースＧＤ１及び第２外部データベースＧＤ２のそれぞれは、統合データ管理装置１とは異なる装置に構築されている。
【００２３】
第１外部データベースＧＤ１は、第１データ収集手段Ｍ１によって管理対象データＤを収集する第１システムＳＹ１に構築されている。以下、第１データ収集手段Ｍ１によって収集される管理対象データＤを「第１管理データＤ１」という。第１データ収集手段Ｍ１は、例えば、点検員、分析員、保全員、監視員などの作業員によって定期的又は不定期に収集される手段である。
【００２４】
第１外部データベースＧＤ１は、複数の第１外部テーブルＧＴ１を含む。複数の第１外部テーブルＧＴ１には、第１管理データＤ１が格納されている。
【００２５】
第２外部データベースＧＤ２は、第１データ収集手段Ｍ１とは異なる第２データ収集手段Ｍ２によって管理対象データＤを収集する第２システムＳＹ２に構築されている。以下、第２データ収集手段Ｍ２によって収集される管理対象データＤを「第２管理データＤ２」という。第２データ収集手段Ｍ２は、例えば、センサー、監視サーバなどの監視機器によって定期的に収集される手段である。複数の監視機器が第２管理データＤ２を収集する時間間隔（周期）は互いに同一又は異なる。
【００２６】
第２外部データベースＧＤ２は、複数の第２外部テーブルＧＴ２を含む。複数の第２外部テーブルＧＴ２には、第２管理データＤ２が格納されている。以下、第１外部テーブルＧＴ１及び第２外部テーブルＧＴ２について説明する。
【００２７】
図２Ａは、実施の形態に係る第１外部テーブルＧＴ１の一例を示す図である。図２Ａに例示する第１外部テーブルＧＴ１は、生産現場Ｓに設けられた複数の管理対象Ｍの故障に関するデータを格納する。
【００２８】
第１外部テーブルＧＴ１は、複数のレコードＲ１を含む。複数のレコードＲ１に格納されるデータは、第１管理データＤ１に含まれる。各レコードＲ１は、点検員によって発見された１件の故障事象から派生するデータに相当する。
【００２９】
各レコードＲ１は、複数のフィールドＦ１「第１管理対象ＩＤ」、「故障発生日時」、「故障状況」、「処置」及び「タイトル」を含む。各レコードＲ１のフィールドＦ１「第１管理対象ＩＤ」には、図１を参照して説明した第１外部データベースＧＤ１（第１システムＳＹ１）で管理対象Ｍを識別するための識別情報を示すデータが格納される。各レコードＲ１のフィールドＦ１「故障発生日時」には、故障が発生した日時を示すデータが格納され、フィールドＦ１「故障状況」には、故障の状況を示すデータが格納され、フィールドＦ１「処置」には、故障に対して行われた処置を示すデータが格納され、フィールドＦ１「タイトル」には、故障事案のタイトルを示すデータが格納される。タイトルは、例えば点検員によって任意に決定される。
【００３０】
図２Ｂは、実施の形態に係る第２外部テーブルＧＴ２の一例を示す図である。図２Ｂに例示する第２外部テーブルＧＴ２は、生産現場Ｓに設けられた複数の管理対象Ｍを監視する複数の監視サーバによって計測されたデータを格納する。第２外部テーブルＧＴ２は、複数のレコードＲ２を含む。複数のレコードＲ２に格納されるデータは、第２管理データＤ２に含まれる。
【００３１】
各レコードＲ２は、あるタイミングにおけるある監視サーバのある監視ポートの計測値のデータに相当する。すなわち、第２外部テーブルＧＴ２の１件のレコードＲ２は、監視ポートごとの計測値のデータに相当する。監視ポートは、管理対象Ｍの状態を監視するために、例えば、監視員によって予め割り当てられた監視サーバの通信ポートである。計測値は、例えば、ある管理対象Ｍの振動数、温度、電流値などである。
【００３２】
各レコードＲ２は、複数のフィールドＦ２「ＩＤ」、「監視機器ＩＤ」、「ポート番号」、「計測値」及び「計測日時」を含む。各レコードＲ２のフィールドＦ２「ＩＤ」には、各レコードＲ２の識別情報を示すデータが格納され、フィールドＦ２「監視機器ＩＤ」には、管理対象Ｍを監視する監視サーバの識別情報を示すデータが格納され、フィールドＦ２「ポート番号」には、当該監視ポートのポート番号を示すデータが格納され、フィールドＦ２「計測値」には、当該ポート番号の監視ポートによって計測された値、すなわち、計測値を示すデータが格納され、フィールドＦ２「計測日時」には、計測値が計測された日時を示すデータが格納される。
【００３３】
図１に示す統合データ管理装置１は、第１外部データベースＧＤ１（複数の第１外部テーブルＧＴ１）と第２外部データベースＧＤ２（複数の第２外部テーブルＧＴ２）とのそれぞれに別々に格納された管理対象データＤを統合して管理する。以下、実施の形態に係る統合データ管理装置１の構成について説明する。図３は、実施の形態に係る統合データ管理装置１のハードウェア構成を示すブロック図である。図４は、実施の形態に係る統合データ管理装置１の機能を示すブロック図である。
【００３４】
図３に示すように、統合データ管理装置１は、操作部２、表示部３、通信部４、主記憶装置５、補助記憶装置６及び制御部７を備える。操作部２、表示部３、通信部４、主記憶装置５及び補助記憶装置６は、ＢＵＳを介して、制御部７に接続されている。
【００３５】
操作部２は、利用者による操作を受け付けて、利用者による操作を示す信号を制御部７へ送信する。操作部２は、例えば、キーボード、マウス、タッチセンサーなどを含む。
【００３６】
表示部３は、画像を表示する。表示部３は、液晶ディスプレイ、有機ＥＬ（Ｏｒｇａｎｉｃ  Ｅｌｅｃｔｒｏ  Ｌｕｍｉｎｅｓｃｅｎｃｅ）ディスプレイなどを含む。
【００３７】
通信部４は、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）などのネットワークを介して第１外部データベースＧＤ１及び第２外部データベースＧＤ２との間で通信を行う。通信部４は、例えば、ネットワークアダプタを含む。
【００３８】
主記憶装置５は、制御部７の作業領域として用いられる。主記憶装置５は、ＲＡＭ（Ｒａｎｄｏｍ  Ａｃｃｅｓｓ  Ｍｅｍｏｒｙ）を含む。
【００３９】
補助記憶装置６は、フラッシュメモリ、ＨＤＤ（Ｈａｒｄ  Ｄｉｓｋ  Ｄｒｉｖｅ）、ＳＤＤ（Ｓｏｌｉｄ  Ｓｔａｔｅ  Ｄｒｉｖｅ）などの不揮発性メモリを含む。補助記憶装置６は、プログラムなどの各種データを記憶する。プログラムは、例えば、制御部７によって実行されるオペレーションシステム、統合データ管理プログラムなどを含む。補助記憶装置６には、図４に示す統合データベース２０の各テーブルが記憶される。
【００４０】
制御部７は、ＣＰＵ（Ｃｅｎｔｒａｌ  Ｐｒｏｃｅｓｓｉｎｇ  Ｕｎｉｔ）のようなプロセッサーを含む。制御部７は、補助記憶装置６に記憶されている統合データ管理プログラムを主記憶装置５に読み出して実行する。制御部７は、統合データ管理プログラムを実行することにより、操作部２、表示部３、通信部４、主記憶装置５及び補助記憶装置６を資源として利用し、図４に示すデータ収集部１０及び情報出力部３０として機能する。
【００４１】
図４に示すように、データ収集部１０は、第１外部データベースＧＤ１及び第２外部データベースＧＤ２から管理対象データＤを収集し、収集した管理対象データＤを統合データベース２０に格納するデータ収集処理を実行する。なお、データ収集処理は、データ格納ステップの一例である。データ収集部１０は、例えば、第１外部データベースＧＤ１又は第２外部データベースＧＤ２が更新される度にデータ収集処理を実行する。
【００４２】
データ収集処理において、データ収集部１０は、図３を参照して説明した通信部４を介して、第１外部データベースＧＤ１が有する複数の第１外部テーブルＧＴ１の少なくとも１つから第１管理データＤ１を収集し、第２外部データベースＧＤ２が有する複数の第２外部テーブルＧＴ２の少なくとも１つから第２管理データＤ２を収集する。データ収集部１０は、収集した第１管理データＤ１及び第２管理データＤ２を統合データベース２０に格納する。すなわち、データ収集部１０は、第１データ収集手段Ｍ１によって収集された第１管理データＤ１を統合データベース２０に格納し、第２データ収集手段Ｍ２によって収集された第２管理データＤ２を統合データベース２０に格納する。以下、第１管理データＤ１及び第２管理データＤ２を総称して「管理対象データＤ」という。
【００４３】
統合データベース２０において、複数の管理対象Ｍは、識別情報である第２管理対象ＩＤで管理される。第２管理対象ＩＤは、第１システムＳＹ１の第１外部データベースＧＤ１で管理される識別情報としての第１管理対象ＩＤとは異なる。第２管理対象ＩＤは、統合データベース２０において、複数の管理対象Ｍを識別するための情報である。
【００４４】
図４に示すように、統合データベース２０は、データ格納テーブル２１０、分類テーブル２２０、マッピングテーブル２３０及び名称テーブル２４０を含む。データ格納テーブル２１０は、データ格納部の一例であり、分類テーブル２２０は、階層分類データ格納部の一例であり、マッピングテーブル２３０は、マッピングデータ格納部の一例である。データ格納テーブル２１０は、第１収集テーブル２１１及び第２収集テーブル２１２を含む。
【００４５】
第１収集テーブル２１１には、第１データ収集手段Ｍ１によって収集された第１管理データＤ１が格納される。第１収集テーブル２１１は、第１管理データＤ１の種類に応じて予め作成された複数のテーブルを含む。第１収集テーブル２１１の複数のテーブルは、例えば、統合データ管理装置１の管理者によって作成される。第１収集テーブル２１１のテーブルが作成されると、そのテーブルの名称を示すデータが名称テーブル２４０に登録される。第１収集テーブル２１１は、例えば、故障に関するデータを格納する故障履歴テーブル、工事に関するデータを格納する工事履歴テーブルなどを含む。
【００４６】
第２収集テーブル２１２には、第２データ収集手段Ｍ２によって収集された第２管理データＤ２が格納される。第２収集テーブル２１２は、第２管理データＤ２の種類に応じて予め作成された複数のテーブルを含む。第２収集テーブル２１２の複数のテーブルは、例えば、統合データ管理装置１の管理者によって作成される。第２収集テーブル２１２のテーブルが作成されると、そのテーブルの名称を示すデータが名称テーブル２４０に登録される。第２収集テーブル２１２は、例えば、機器から発生する振動の振動数（振動数データ）を格納する振動数テーブル、機器の温度（温度データ）を格納する温度テーブルなどを含む。
【００４７】
分類テーブル２２０には、階層分類データが格納される。階層分類データは、所望の管理対象Ｍに関する情報（管理対象データＤ）へ利用者が効率よくアクセスできるように、複数の管理対象Ｍを階層的に分類するためのデータである。例えば、階層分類データは、上位の管理対象Ｍと、上位の管理対象Ｍのそれぞれの下位に位置する管理対象Ｍと、を関連付けるためのデータである。階層分類データは、情報出力部３０が、複数の管理対象Ｍの名称を出力する際に参照される。
【００４８】
利用者には、点検員、保全員、分析員など、異なる役割の作業員が含まれる。一般的に、利用者が扱いやすい分類は、その役割ごとに異なる。そこで、複数の管理対象Ｍは、異なる観点で規定された分類方法に則って階層的に分類される。本実施の形態では、複数の管理対象Ｍは、基本分類方法と拡張分類方法との２つの分類方法に則って分類される。基本分類方法は、例えば、物理的な実体の階層関係に基づいて管理対象Ｍを分類する方法である。拡張分類方法は、基本分類方法とは異なる観点で管理対象Ｍを分類する方法であって、例えば、監視対象の階層関係に基づいて分類する方法である。
【００４９】
分類テーブル２２０は、基本分類テーブル２２１及び拡張分類テーブル２２２を含み、基本分類方法に則った階層分類データは、基本分類テーブル２２１に格納される。基本分類テーブル２２１には、基本分類方法に則って複数の管理対象Ｍを階層的に分類するための階層分類データが格納される。基本分類方法は、第１分類方法の一例であり、基本分類方法に則った階層分類データは、第１階層分類データの一例である。基本分類テーブル２２１には、例えば、設備と、その設備に含まれる機器といった物理的な実体の階層関係（上位と下位と）を関連付けるデータが格納される。
【００５０】
拡張分類方法に則った階層分類データは、拡張分類テーブル２２２に格納される。拡張分類テーブル２２２には、拡張分類方法に則って複数の管理対象Ｍを階層的して分類するための階層分類データが格納される。拡張分類方法は、第２分類方法の一例であり、拡張分類方法に則った階層分類データは、第２階層分類データの一例である。拡張分類テーブル２２２には、例えば、監視対象とその監視対象の上位と下位とを関連付けるデータが格納される。
【００５１】
マッピングテーブル２３０には、管理対象Ｍと管理対象データＤとを関連付けるマッピングデータが格納される。マッピングデータは、統合データベース２０での管理対象Ｍの識別情報である第２管理対象ＩＤと第１管理データＤ１及び第２管理データＤ２とを関連付ける。マッピングデータは、例えば、統合データ管理装置１の管理者が不図示のマッピングデータ登録画面において、管理対象Ｍと管理対象データＤとを関連付ける操作をすることにより、マッピングテーブル２３０に格納される。
【００５２】
名称テーブル２４０は、統合データベース２０に含まれる第１収集テーブル２１１、拡張分類テーブル２２２及び分類テーブル２２０の名称を示す名称データが格納される。名称データは、以下に説明する情報出力部３０が情報出力処理を実行する際に参照される。
【００５３】
情報出力部３０は、利用者が所望する管理対象Ｍに関する情報を出力する情報出力処理を実行する。情報出力処理では、情報出力部３０は、例えば、基本分類方法に則った階層分類データ、又は拡張分類方法に則った階層分類データに基づいて、複数の管理対象Ｍを階層的に分類し、管理対象データ確認画面を出力する。
【００５４】
情報出力部３０は、利用者が所望する管理対象Ｍが選択されると、マッピングテーブル２３０に格納されるマッピングデータに基づいて、選択された管理対象Ｍに関連付けられた管理対象データＤ（第１管理データＤ１又は第２管理データＤ２の少なくとも一方）を統合データベース２０から抽出する。情報出力部３０は、抽出した管理対象データＤに基づいて、管理対象Ｍに関する情報を、管理対象データ確認画面に出力する。
【００５５】
次に、図５（ａ）〜図８を参照して、図４を参照して説明した第１収集テーブル２１１、第２収集テーブル２１２、基本分類テーブル２２１、拡張分類テーブル２２２及びマッピングテーブル２３０について詳細に説明する。
【００５６】
図５（ａ）は、実施の形態に係る第１収集テーブル２１１の一例を示す図である。第１収集テーブル２１１には、図２Ａを参照して説明した第１外部テーブルＧＴ１から収集された第１管理データＤ１が格納される。
【００５７】
図５（ａ）に示すように、第１収集テーブル２１１は、複数のレコードＲ３を含む。複数のレコードＲ３は、第１データ収集手段Ｍ１によって収集された管理対象データＤ、すなわち、第１管理データＤ１に相当する。なお、レコードＲ３は、第１レコードの一例である。
【００５８】
図５（ａ）に示す各レコードＲ３は、管理対象Ｍの故障発生日時ごとのデータである。各レコードＲ３は、複数のフィールドＦ３「故障発生日時」、「第１管理対象ＩＤ」などを含む。各レコードＲ３のフィールドＦ３「故障発生日時」及び「第１管理対象ＩＤ」には、図２Ａを参照して説明した第１外部テーブルＧＴ１の各レコードＲ１のフィールドＦ１「故障発生日時」及び「第１管理対象ＩＤ」のデータがそれぞれ格納される。
【００５９】
各レコードＲ３は、日時を示す「故障発生日時」のデータが格納されるフィールドＦ３を含む。したがって、日時をキーとする管理対象データＤの並び替えが容易になる。これにより、過去に発生した故障などの事象の把握、分析などが容易になる。
【００６０】
また、各レコードＲ３において、日時を示すデータは、先頭フィールドＦ３に格納される。このため、統合データベース２０の設計者、管理者などによる管理対象データＤの取り扱いが容易になる。
【００６１】
図５（ｂ）は、実施の形態に係る第２収集テーブル２１２の一例を示す図である。第２収集テーブル２１２には、図２Ｂを参照して説明した第２外部テーブルＧＴ２から収集された第２管理データＤ２が格納される。
【００６２】
第２収集テーブル２１２は、複数のレコードＲ４を含む。複数のレコードＲ４は、第２データ収集手段Ｍ２によって収集された管理対象データＤ、すなわち、第２管理データＤ２に相当する。なお、レコードＲ４は、第２レコードの一例である。
【００６３】
図５（ｂ）に示す各レコードＲ４は、図２Ｂを参照して説明した第２外部テーブルＧＴ２の複数のレコードＲ２が、監視機器ごとにまとめられたデータである。各レコードＲ４は、複数のフィールドＦ４「計測日時」、「監視機器ＩＤ」、「第１計測値」〜「第３２計測値」を含む。各レコードＲ４のフィールドＦ４「計測日時」及び「監視機器ＩＤ」には、図２Ｂを参照して説明した第２外部テーブルＧＴ２の各レコードＲ２のフィールドＦ２「計測日時」及び「監視機器ＩＤ」のデータがそれぞれ格納される。各レコードＲ４のフィールドＦ４「第１計測値」〜「第３２計測値」には、第２外部テーブルＧＴ２の複数のレコードＲ２のうち該当するポート番号「１」〜「３２」のそれぞれの計測値を示すデータが格納される。
【００６４】
各レコードＲ４は、日時を示す「計測日時」のデータが格納されるフィールドＦ４を含む。したがって、日時をキーとする管理対象データＤの並び替えが容易になる。これにより、時系列に沿った計測値の把握、分析などが容易になる。
【００６５】
また、各レコードＲ４において、日時を示すデータは、先頭フィールドＦ４に格納される。このため、統合データベース２０の設計者、管理者などによる管理対象データＤの取り扱いが容易になる。
【００６６】
図２Ａ及び図２Ｂを参照して説明したように、第１外部テーブルＧＴ１のレコードＲ１が含む複数のフィールドＦ１と、第２外部テーブルＧＴ２のレコードＲ２が含む複数のフィールドＦ２とは異なる。換言すると、第１外部テーブルＧＴ１のテーブル構造は、第２外部テーブルＧＴ２のテーブル構造と異なる。
【００６７】
一方で、統合データ管理装置１の統合データベース２０が含む第１収集テーブル２１１及び第２収集テーブル２１２のそれぞれは、先頭のフィールドＦ３、Ｆ４に格納されるデータが日時を示すデータである。したがって、統合データ管理装置１では、共通する１種類のキーを併合して一意に順序付けることによって、管理対象データＤを対照（対比）させることができる。
【００６８】
データ収集部１０は、テーブル構造が互いに異なる第１外部テーブルＧＴ１と第２外部テーブルＧＴ２とのそれぞれから収集した管理対象データＤを、第１収集テーブル２１１と第２収集テーブル２１２とに格納することにより、共通する１種類のキーで対照（対比）させることができる。これにより、生産現場Ｓから管理対象データＤを収集する第１システムＳＹ１又は第２システムＳＹ２における管理対象データＤのテーブル構造による規制を回避でき、統合データベース２０において管理対象データＤの加工、編集などの処理が容易になる。
【００６９】
次に、図６（ａ）〜図７（ｂ）を参照して、図４を参照して説明した分類テーブル２２０について説明する。なお、図６（ａ）〜図７（ｂ）では、管理対象Ｍである「機器Ａ」が２つの異なる分類方法によって分類されている場合を例に説明する。
【００７０】
図６（ａ）は、実施の形態に係る基本分類方法を説明するための図である。図６（ａ）に例示する基本分類方法では、物理的な構成に基づいて複数の管理対象Ｍが階層的に分類される。詳しくは、基本分類方法では、工場Ｆの配置場所に基づいて複数の管理対象Ｍが階層的に分類される。
【００７１】
図６（ａ）に示すように、複数の管理対象Ｍは、５つの階層に分類されている。以下、図６（ａ）に示す５つの階層を最上位階層から順に、「第１階層ＢＨ１」、「第２階層ＢＨ２」、「第３階層ＢＨ３」、「第４階層ＢＨ４」、及び「第５階層ＢＨ５」という。
【００７２】
例えば、最上位階層である第１階層ＢＨ１「Ａ工場」の１つ下位の階層（第２階層ＢＨ２）には、「Ａライン」及び「Ｂライン」が含まれる。第２階層ＢＨ２の「Ａライン」の１つ下位の階層（第３階層ＢＨ３）には、「Ａ工程」及び「Ｂ工程」が含まれる。第３階層ＢＨ３の「Ａ工程」の１つ下位の階層（第４階層ＢＨ４）には、「Ａ設備」及び「Ｂ設備」が含まれる。第４階層ＢＨ４の「Ａ設備」の１つ下位の階層（第５階層ＢＨ５）には、「機器Ａ」、「機器Ｂ」及び「機器Ｃ」が含まれる。
【００７３】
統合データ管理装置１の管理者が、基本分類方法の分類規則を決定し、不図示の分類登録画面において、基本分類方法に則って階層分類データを登録することにより、階層分類データが基本分類テーブル２２１に格納される。管理者が、基本分類方法に則った階層分類データを登録する際に、登録する対象の基本分類方法の名称を指定することもできる。利用者が基本分類方法の名称を指定すると、図４を参照して説明した名称テーブル２４０に、基本分類方法を示す名称のデータが登録される。
【００７４】
図６（ｂ）は、実施の形態に係る基本分類テーブル２２１の一例を示す図である。なお、図６（ｂ）では、カッコに管理対象Ｍを示しているが、基本分類テーブル２２１にカッコ内の管理対象Ｍを示すデータが格納されているわけではなく、例えば、フィールドＦ５「第２管理対象ＩＤ」に格納されるデータ「Ｄ０１−００００」は、図６（ａ）に示す「Ａ工場」を示す識別情報であることを意味する。
【００７５】
図６（ｂ）に示すように、基本分類テーブル２２１は、複数のレコードＲ５を含む。複数のレコードＲ５は、図６（ａ）に示す基本分類方法に則った階層分類データを構成する。
【００７６】
各レコードＲ５は、複数のフィールドＦ５「第２管理対象ＩＤ」及び「１つ下位の階層の第２管理対象ＩＤ」を含む。各レコードＲ５のフィールドＦ５「第２管理対象ＩＤ」には、第２管理対象ＩＤを示すデータが格納され、フィールドＦ５「１つ下位の階層の第２管理対象ＩＤ」には、対応する管理対象Ｍ（当該レコードのフィールドＦ５「第２管理対象ＩＤ」に格納されるデータによって示される管理対象Ｍ）の１つ下位の階層として分類された管理対象Ｍの第２管理対象ＩＤを示すデータが格納される。すなわち、各レコードＲ５は、基本分類方法に則って分類されたある管理対象Ｍの第２管理対象ＩＤと、その管理対象Ｍの下位の階層に位置する管理対象Ｍの第２管理対象ＩＤと、の関連付けを示す。
【００７７】
図６（ｂ）に示す基本分類テーブル２２１の１件目のレコードＲ５は、「Ａ工場」の１つ下位の階層に位置する管理対象Ｍが「Ａライン」であることを示す。２件目及び３件目のレコードＲ５は、「Ａライン」の１つ下位の階層に位置する管理対象Ｍが「Ａ工程」及び「Ｂ工程」であることを示す。４件目及び５件目のレコードＲ５は、「Ａ工程」の１つ下位の階層に位置する管理対象Ｍが「Ａ設備」及び「Ｂ設備」であることを示す。６件目のレコードＲ５は、「Ａ設備」の１つ下位の階層に位置する管理対象Ｍが「機器Ａ」であることを示す。
【００７８】
次に、図７（ａ）及び図７（ｂ）を参照して、図４を参照して説明した拡張分類方法及び拡張分類テーブル２２２について説明する。図７（ａ）は、実施の形態に係る拡張分類方法を説明するための図である。
【００７９】
拡張分類方法は、基本分類方法とは異なる観点の分類方法であって、利用者の観点に基づいて複数の管理対象Ｍを階層的に分類する方法である。
【００８０】
図７（ａ）に例示する拡張分類方法は、監視員の観点に基づいて決定された分類方法である。拡張分類方法では、監視対象の構成に基づいて複数の管理対象Ｍが階層的に分類されている。
【００８１】
図７（ａ）に示すように、複数の管理対象Ｍは、４つの階層に分類されている。以下、図７（ａ）に示す４つの階層を最上位階層から順に、「第１階層ＥＨ１」、「第２階層ＥＨ２」、「第３階層ＥＨ３」、及び「第４階層ＥＨ４」という。
【００８２】
例えば、最上位階層である第１階層ＥＨ１「第１監視システム」の１つ下位の階層（第２階層ＥＨ２）には、「第１監視サーバ」及び「第２監視サーバ」が含まれる。第２階層ＥＨ２の「第１監視サーバ」の１つ下位の階層（第３階層ＥＨ３）には、「第１ポート」、「第２ポート」及び「第３ポート」が含まれる。第３階層ＥＨ３の「第１ポート」「第２ポート」及び「第３ポート」のそれぞれの１つ下位の階層（第４階層ＥＨ４）には、「機器Ａ」が含まれる。
【００８３】
利用者が、拡張分類方法の分類規則を決定し、不図示の分類登録画面において、拡張分類方法に則った階層分類データを登録することにより、拡張分類方法に則った階層分類データが拡張分類テーブル２２２に格納される。また、利用者は、拡張分類方法に則った階層分類データを登録する際に、登録する対象の拡張分類方法の名称を指定することもできる。利用者が拡張分類方法の名称を指定すると、その名称を示すデータが、名称テーブル２４０に登録される。
【００８４】
図７（ｂ）は、実施の形態に係る拡張分類テーブル２２２の一例を示す図である。なお、図７（ｂ）では、カッコに管理対象Ｍを示しているが、拡張分類テーブル２２２にカッコ内の管理対象Ｍを示すデータが格納されているわけではなく、例えば、フィールドＦ６「第２管理対象ＩＤ」に格納されるデータ「Ｓ０１−０００」は、図７（ａ）に示す「第１監視システム」を示す識別情報であることを意味する。
【００８５】
図７（ｂ）に示すように、拡張分類テーブル２２２は、複数のレコードＲ６を含む。複数のレコードＲ６は、図７（ａ）に示す拡張分類方法に則った階層分類データを構成する。各レコードＲ６は、複数のフィールドＦ６「第２管理対象ＩＤ」及び「１つ下位の階層の第２管理対象ＩＤ」を含む。
【００８６】
各レコードＲ６のフィールドＦ６「第２管理対象ＩＤ」には、第２管理対象ＩＤを示すデータが格納され、フィールドＦ６「１つ下位の階層の第２管理対象ＩＤ」には、対応する管理対象Ｍ（当該レコードＲ６のフィールドＦ６「第２管理対象ＩＤ」に格納されたデータによって示される管理対象Ｍ）の１つ下位の階層として分類された管理対象Ｍの第２管理対象ＩＤを示すデータが格納される。すなわち、各レコードＲ６は、拡張分類方法に則って分類されたある管理対象Ｍの第２管理対象ＩＤと、その管理対象Ｍの下位の階層に位置する管理対象Ｍの第２管理対象ＩＤと、の関連付けを示す。
【００８７】
図７（ｂ）に示す拡張分類テーブル２２２の１件目のレコードＲ６は、「第１監視システム」の１つ下位の階層に位置する管理対象Ｍが「第１監視サーバ」であることを示す。２〜４件目のレコードＲ６はそれぞれ、「第１監視サーバ」の１つ下位の階層に位置する管理対象Ｍが「第１ポート」、「第２ポート」、及び「第３ポート」であることを示す。５件目のレコードＲ６は、「第１ポート」の１つ下位の階層に位置する管理対象Ｍが「機器Ａ」であることを示す。
【００８８】
次に、図８を参照して、図４を参照して説明したマッピングテーブル２３０について説明する。図８は、実施の形態に係るマッピングテーブル２３０の一例を示す図である。なお、図８では、カッコに管理対象Ｍを示しているが、図６（ｂ）及び図７（ｂ）と同様に、マッピングテーブル２３０にカッコ内の管理対象Ｍを示すデータが格納されているわけではなく、例えば、フィールドＦ７「第２管理対象ＩＤ」に格納されるデータ「Ｄ０１−１１１１」は、図６（ａ）及び図７（ａ）を参照して説明した管理対象Ｍ「機器Ａ」を示す識別情報であることを示す。
【００８９】
図８に示すように、マッピングテーブル２３０は、複数のレコードＲ７を含む。複数のレコードＲ７は、マッピングデータを構成する。マッピングデータは、統合データベース２０で管理される複数の管理対象Ｍ（第２管理対象ＩＤを示すデータ）のそれぞれと、第１収集テーブル２１１及び第２収集テーブル２１２に格納される管理対象データＤと、関連付けるためのデータである。
【００９０】
図４を参照して説明したように、統合データベース２０と、第１外部データベースＧＤ１及び第２外部データベースＧＤ２と、において、異なる識別情報（第２管理対象ＩＤと第１管理対象ＩＤと）を用いて管理対象Ｍが識別されている。図５（ａ）を参照して説明したように、第１収集テーブル２１１に格納されるデータは、第１外部テーブルＧＴ１から収集された第１管理データＤ１が、所定の規則にしたがって（図５（ａ）では、フィールドの順番が）変更されたデータに相当するため、第１収集テーブル２１１に格納されるデータは、統合データベース２０で管理する第２管理対象ＩＤを示すデータを含まない。同様に、図５（ｂ）を参照して説明したように、第２収集テーブル２１２に格納されるデータは、第２外部テーブルＧＴ２から収集された第２管理データＤ２が、所定の規則にしたがって変更された（図５（ｂ）では監視機器ごとに併合された）データに相当するため、第２収集テーブル２１２に格納されるデータは、統合データベース２０で管理する第２管理対象ＩＤを示すデータを含まない。したがって、階層的に分類された管理対象Ｍが利用者によって選択された場合において、選択された管理対象Ｍに対応するデータを第１収集テーブル２１１又は第２収集テーブル２１２から抽出するためには、第１収集テーブル２１１及び第２収集テーブル２１２に格納される管理対象データＤと、基本分類テーブル２２１及び拡張分類テーブル２２２に格納される第２管理対象ＩＤを示すデータとを関連付けるマッピングデータが必要になる。
【００９１】
各レコードＲ７は、ある管理対象Ｍと、その管理対象Ｍに対応する管理対象データＤ（第１収集テーブル２１１又は第２収集テーブル２１２の少なくとも一方に格納される管理対象データＤ）と、を関連付けるデータに相当する。
【００９２】
図８に示すように、各レコードＲ７は、複数のフィールドＦ７「第２管理対象ＩＤ」、「検索対象テーブル」及び「検索ワード」を含む。各レコードＲ７のフィールドＦ７「第２管理対象ＩＤ」には、ある管理対象Ｍの第２管理対象ＩＤを示すデータが格納され、フィールドＦ７「検索対象テーブル」には、対応する管理対象Ｍ（当該レコードＲ７の第２管理対象ＩＤのデータで示される管理対象Ｍ）に関する管理対象データＤが格納されているテーブルを示すデータが格納され、フィールドＦ７「検索ワード」には、検索対象テーブルの中から、対応する管理対象データＤを検索するための文字列を示すデータが格納される。
【００９３】
例えば、図８に示す１件目のレコードＲ７は、機器Ａと機器Ａに関する管理対象データＤとの関連付けを示す。具体的には、１件目のレコードＲ７は、機器Ａに関する管理対象データＤが、第２収集テーブル２１２に格納されるデータのうち、文字列「第１計測値」を含むレコードと関連することを示す。
【００９４】
続いて、図９〜図１１を参照して、実施の形態に係る管理対象データ確認画面Ｇ１について説明する。管理対象データ確認画面Ｇ１は、情報出力部３０によって実行される情報出力処理において表示部３に表示される。図９〜図１１は、実施の形態に係る管理対象データ確認画面Ｇ１の一例を示す図である。
【００９５】
図９〜図１１に示すように、管理対象データ確認画面Ｇ１は、管理対象選択ウィンドウＧＷ１、管理対象データ操作ウィンドウＧＷ２及び終了ボタンＧＢ１を含む。終了ボタンＧＢ１は、管理対象データ確認画面Ｇ１の表示を終了させるためのボタンである。
【００９６】
管理対象選択ウィンドウＧＷ１は、利用者が管理対象Ｍを選択するためのウィンドウである。管理対象選択ウィンドウＧＷ１は、プルダウンメニューＧＰ１及び階層表示領域ＧＲ１を含む。
【００９７】
プルダウンメニューＧＰ１は、複数の分類方法の中から所望の分類方法を選択するためのメニューである。プルダウンメニューＧＰ１には、複数の分類方法を示す名称が表示される。図４を参照して説明したように分類方法は、「基本分類方法」と「拡張分類方法」とを含む。したがって、図９〜図１１に例示するプルダウンメニューＧＰ１には、「基本分類方法」と「拡張分類方法」との２つの名称が一覧で表示される。
【００９８】
階層表示領域ＧＲ１には、複数の分類方法の中から選択された分類方法に則って階層的に分類された複数の管理対象Ｍが表示される。利用者が、例えば、「基本分類」を選択すると、図６（ａ）を参照して説明した基本分類方法に則って、複数の管理対象Ｍが階層的に分類されて（階層化されて）、階層表示領域ＧＲ１に表示される（図１０参照）。利用者は、階層表示領域ＧＲ１に表示された複数の管理対象Ｍの中から所望の管理対象Ｍをクリックすることにより、情報の出力対象となる管理対象Ｍを選択することができる。なお、利用者は、管理対象Ｍを複数選択することもできる。利用者が、管理対象Ｍを選択すると、選択されたことを示すチェックマークが管理対象Ｍの名称に付される。
【００９９】
管理対象データ操作ウィンドウＧＷ２は、階層表示領域ＧＲ１において選択された管理対象Ｍに関連する情報に対する操作を受け付けるためのウィンドウである。管理対象データ操作ウィンドウＧＷ２は、検索期間入力欄ＧＦ１、グラフボタンＧＢ２、ファイルボタンＧＢ３、データ項目表示欄ＧＬ１及びグラフ表示領域ＧＲ２を含む。
【０１００】
検索期間入力欄ＧＦ１には、階層表示領域ＧＲ１において選択された管理対象Ｍに関連付けられた管理対象データＤが収集された期間を絞り込むための検索条件が入力できる。
【０１０１】
データ項目表示欄ＧＬ１には、階層表示領域ＧＲ１において選択された管理対象Ｍに関連付けられた管理対象データＤに関する情報が表示される（図１０参照）。
【０１０２】
図１を参照して説明したように、管理対象データＤは、１つの管理対象Ｍに対して、振動数のデータ、温度のデータ、電流値のデータなど複数種類の種類別データを含む。このため、データ項目表示欄ＧＬ１には、図１０に示すように、温度、振動数などの複数種類の種類別データに関する情報が一覧で表示される。以下、複数種類の種類別データを「種類別データ群」という場合がある。
【０１０３】
なお、階層表示領域ＧＲ１に表示された複数の管理対象Ｍのうち、２つ以上の管理対象Ｍが選択された場合、データ項目表示欄ＧＬ１には、選択されたすべての管理対象Ｍに関連付けられた種類別データ群に関する情報がデータ項目表示欄ＧＬ１に表示される。また、階層表示領域ＧＲ１に表示された複数の管理対象Ｍのうち、最下位ではない管理対象Ｍが選択されると、データ項目表示欄ＧＬ１には、選択された管理対象Ｍよりも下位の階層に位置するすべての管理対象Ｍに関連付けられた種類別データ群に関する情報がデータ項目表示欄ＧＬ１に表示される。
【０１０４】
データ項目表示欄ＧＬ１は、参照キー表示領域ＧＲ３、チェックボックスＧＣ１、及び状態表示領域ＧＲ４を含む。参照キー表示領域ＧＲ３には、階層表示領域ＧＲ１において選択された管理対象Ｍに関連付けられた複数の種類別データのそれぞれに関する情報を示す項目が表示される。参照キー表示領域ＧＲ３に表示される項目は、例えば、管理対象Ｍの名称、管理対象Ｍの計測される部位などを示す情報と、計測値の種類、計測値を計測する監視装置の名称などを示す情報と、の組み合わせによって、例えば、管理者によって定義される。
【０１０５】
チェックボックスＧＣ１は、データ項目表示欄ＧＬ１に表示された種類別データ群の中から、グラフ出力又はファイル出力させる出力対象の種類別データを選択するためチェックボックスである。
【０１０６】
状態表示領域ＧＲ４には、種類別データを収集するシステム（第１システムＳＹ１及び第２システムＳＹ２）の運転状況を示す情報（「運転中」又は「停止中」）が表示される。「運転中」は、当該種類別データを収集するシステムが稼働していることを示し、「停止中」は、当該種類別データを収集するシステムが停止していることを示す。
【０１０７】
グラフボタンＧＢ２は、選択された種類別データに基づくグラフＧＨ１の出力を情報出力部３０に指示するためのボタンである。
【０１０８】
グラフ表示領域ＧＲ２には、選択された種類別データに基づくグラフＧＨ１が表示される（図１１参照）。グラフ表示領域ＧＲ２には、検索期間入力欄ＧＦ１に値（日付）が入力された場合、その入力された期間における選択された種類別データに基づくグラフＧＨ１が表示される。なお、グラフＧＨ１は、管理対象Ｍに関する情報の一例である。
【０１０９】
図１１に例示するグラフＧＨ１は、種類別データ「機器Ａの振動数のデータ」に基づいて生成された振動数グラフＧＨ１１と、「機器Ａの故障履歴のデータ」に基づいて生成された故障履歴グラフＧＨ１２と、を含む。振動数グラフＧＨ１１は、縦軸が振動数を示し、横軸が時間を示す。故障履歴グラフＧＨ１２は、縦軸が故障履歴の発生回数を示し、横軸が時間を示す。なお、振動数グラフＧＨ１１及び故障履歴グラフＧＨ１２は、期間「２０１９／０２／０１〜２０１９／０２／１５」におけるデータに基づいて生成されたグラフである。
【０１１０】
図１１に示すように、振動数グラフＧＨ１１と、故障履歴グラフＧＨ１２と、は、上下に並んでグラフ表示領域ＧＲ２に表示される。これにより、利用者は、振動数グラフＧＨ１１と故障履歴グラフＧＨ１２とを容易に比較できる。この結果、例えば、故障が発生した時点及び故障が発生した前後における振動数など、故障の発生と振動数（複数の管理対象Ｍ）との関係性の把握が容易になる。
【０１１１】
また、振動数のデータは、図５（ｂ）を参照して説明したように、第２収集テーブル２１２に格納されている管理対象データＤであり、故障履歴のデータは、図５（ａ）を参照して説明したように、第１収集テーブル２１１に格納されている管理対象データＤである。上述のように、第２収集テーブル２１２に格納される管理対象データＤは、第２データ収集手段Ｍ２によって収集された管理対象データＤであり、第１収集テーブル２１１に格納される管理対象データＤは、第１データ収集手段Ｍ１によって収集された管理対象データＤである。振動数グラフＧＨ１１と故障履歴グラフＧＨ１２とが、上下に並んでグラフ表示領域ＧＲ２に表示されることにより、利用者は、異なるデータ収集手段によって収集された管理対象データＤを横断的に把握できる。
【０１１２】
ファイルボタンＧＢ３は、チェックボックスＧＣ１がチェックされることにより選択された種類別データに基づくデータファイルＤＣ１の出力を情報出力部３０に指示するためのボタンである。ファイルボタンＧＢ３は、選択された種類別データごとにデータファイルＤＣ１を出力する。例えば、機器Ａの振動数のデータと、機器Ａの温度のデータとが選択されて、ファイルボタンＧＢ３が押下されると、機器Ａの振動数のデータに基づくデータファイルＤＣ１と、機器Ａの温度のデータに基づくデータファイルＤＣ１と、が出力される。なお、データファイルＤＣ１は、管理対象Ｍに関する情報の一例である。
【０１１３】
ファイルボタンＧＢ３が押下されると、図１２に示すように、データファイルＤＣ１を出力するか否かを確認する出力確認ウィンドウＷ１が表示部３に表示される。出力確認ウィンドウＷ１に含まれるＯＫボタンが押下されると、図１３に示すように、ファイルの出力方法を選択するための出力方法選択ウィンドウＷ２が表示部３に表示される。
【０１１４】
図１３に示す出力方法選択ウィンドウＷ２に含まれるファイルを開くボタンが押下されると、図１４に示すように、選択された種類別データに基づくデータファイルＤＣ１が生成され、表示部３に表示される。
【０１１５】
図１４は、実施の形態に係るデータファイルＤＣ１の一例を示す図である。図１４に例示するデータファイルＤＣ１は、検索期間入力欄ＧＦ１において指定された期間における機器Ａの振動数のデータに基づいて生成されたデータファイルＤＣ１であって、「機器Ａの振動数」を表す。図１４に示すように、データファイルＤＣ１は、時間ごとの計測値を含むＣＳＶ形式のデータである。
【０１１６】
データファイルＤＣ１は、複数のデータ項目ＤＦを含む。複数のデータ項目ＤＦは、「データ格納日時」、「センサーＮＯ」、「計測年」、「計測月」、「計測日」、「計測時」、「振動平均値」、「振動ピーク値」、「振動波高率」などを含む。
【０１１７】
例えば、データ項目ＤＦ「データ格納日時」には、統合データベース２０に格納された時刻を示すデータが格納される。データ項目ＤＦ「センサーＮＯ」には、センサーなどの監視機器を識別するためのデータが格納される。データ項目ＤＦ「計測年」、「計測月」、「計測日」、「計測時」には、計測日時を示すデータが格納される。データ項目ＤＦ「振動平均値」には、振動数の所定の期間における平均値のデータが格納される。所定の期間は、任意に設定でき、例えば、一日である。データ項目ＤＦ「振動ピーク値」には、所定の期間における振動数のピーク値（最高値）のデータが格納される。データ項目ＤＦ「振動平均値」、「振動ピーク値」、「振動波高率」に格納されるデータは、データ収集部１０が統合データベース２０に管理対象データＤを格納する際に、例えば、データ収集部１０によって計算される。なお、データファイルＤＣ１は、周波数帯の異なる振動数の平均値、ピーク値などのデータを含んでもよい。
【０１１８】
利用者は、表示部３に表示されたデータファイルＤＣ１の保存先を指定することにより、データファイルＤＣ１を保存することができる。あるいは、データファイルＤＣ１の印刷を統合データ管理装置１に指示することにより、データファイルＤＣ１の印刷ジョブが生成され、その印刷ジョブが通信部４を介して印刷装置へ送信される。この結果、データファイルＤＣ１が印刷される。
【０１１９】
一方、図１３に示す出力方法選択ウィンドウＷ２の保存ボタンが押下されると、図１４に示すデータファイルＤＣ１のデータが生成され、予め指定された保存先又は利用者が指定した保存先にデータファイルＤＣ１が保存される。
【０１２０】
なお、図１２に示す出力確認ウィンドウＷ１に含まれるキャンセルボタンが押下されると、データファイルＤＣ１が生成されることなく、出力確認ウィンドウＷ１の表示が終了する。同様に、図１３に示す出力方法選択ウィンドウＷ２に含まれるキャンセルボタンが押下されると、データファイルＤＣ１が生成されることなく、出力方法選択ウィンドウＷ２の表示が終了する。
【０１２１】
続いて、図１５〜図１７を参照して、実施の形態に係る情報出力部３０によって実行される情報出力処理について説明する。図１５は、実施の形態に係る情報出力処理を示すフローチャートである。なお、情報出力処理は、利用者による開始の指示を、操作部２を介して、情報出力部３０が受け付けることにより開始される。また、情報出力処理は、利用者による終了の指示を、操作部２を介して、情報出力部３０が受け付けることにより終了する。
【０１２２】
図１５に示すように、情報出力部３０は、複数の管理対象Ｍを階層的に分類して出力する階層化出力処理を実行する（ステップＳ１０１）。なお、階層化出力処理は、階層化出力ステップに相当する。
【０１２３】
図１６は、実施の形態に係る階層化出力処理を示すフローチャートである。図１６に示すように、階層化出力処理では、情報出力部３０は、図１０を参照して説明した管理対象データ確認画面Ｇ１のプルダウンメニューＧＰ１に分類方法の名称を表示させる（ステップＳ２０１）。
【０１２４】
次いで、情報出力部３０は、利用者による分類方法の選択を受け付けるまで待機する（ステップＳ２０３；Ｎｏ）。情報出力部３０は、操作部２を介して、利用者による分類方法の選択を受け付けると（ステップＳ２０３；Ｙｅｓ）、利用者が選択した分類方法を特定し、特定した分類方法による分類方法、すなわち、利用者が選択した分類方法に則った階層分類データを格納する分類テーブル２２０を参照する。
【０１２５】
情報出力部３０は、参照元の分類テーブル２２０に格納される階層分類データに基づいて、複数の管理対象Ｍを階層的に分類して階層表示領域ＧＲ１に表示させる（ステップＳ２０５）。情報出力部３０が複数の管理対象Ｍを階層的に分類して表示させると、階層化出力処理は、図１５に示す情報出力処理へ戻る。
【０１２６】
次いで、図１５に示すように、情報出力部３０は、管理対象Ｍの選択を受け付けるまで待機する（ステップＳ１０３；Ｎｏ）。情報出力部３０は、操作部２を介して、利用者による管理対象Ｍの選択を受け付けると（ステップＳ１０３；Ｙｅｓ）、利用者が選択した管理対象Ｍを特定する。なお、情報出力部３０は、利用者が複数の管理対象Ｍを選択すると、選択されたすべての管理対象Ｍを特定する。また、情報出力部３０は、利用者が選択した管理対象Ｍが最下位の管理対象Ｍであるか否かを、分類テーブル２２０に格納される階層分類データに基づいて判定する。情報出力部３０は、選択された管理対象Ｍが最下位の管理対象Ｍでないと判定すると、選択された管理対象Ｍと、選択された管理対象Ｍよりも下位の階層に位置する管理対象Ｍを特定する。一方、情報出力部３０は、選択された管理対象Ｍが最下位の管理対象Ｍであると判定すると、選択された管理対象Ｍのみを特定する。
【０１２７】
情報出力部３０は、管理対象Ｍを特定すると、特定した管理対象Ｍ、すなわち、利用者によって選択された管理対象Ｍ又は選択された管理対象Ｍ以下の階層に位置する管理対象Ｍに関連付けられた管理対象データＤを出力する管理対象情報出力処理を実行する（ステップＳ１０５）。なお、管理対象情報出力処理は、管理対象情報出力ステップに相当する。
【０１２８】
図１７は、実施の形態に係る管理対象情報出力処理を示すフローチャートである。図１７に示すように、管理対象情報出力処理では、情報出力部３０は、管理対象Ｍを特定すると、特定した管理対象Ｍに関連する管理対象データＤを取得するため、特定した管理対象Ｍに対応するデータを、図８を参照して説明したマッピングテーブル２３０から抽出する（ステップＳ３０１）。詳しくは、情報出力部３０は、マッピングテーブル２３０の複数のレコードＲ７の中から、特定した管理対象Ｍの識別情報（第２管理対象ＩＤ）と一致するデータを含むレコードＲ７を検索する。情報出力部３０は、特定した管理対象Ｍの識別情報（第２管理対象ＩＤ）と一致するデータを含むレコードＲ７を見つけると、該当するレコードＲ７のフィールドＦ７「検索対象テーブル」及び「検索ワード」のデータを、特定した管理対象Ｍに対応するデータとして抽出する。情報出力部３０は、抽出したレコードＲ７のデータを、例えば、補助記憶装置６に一時的に記憶させる。
【０１２９】
利用者が、管理対象Ｍとして、例えば、機器Ａを選択すると、情報出力部３０は、マッピングテーブル２３０の中から、フィールドＦ７「第２管理対象ＩＤ」が「機器Ａ」を示すレコードＲ７を検索する。情報出力部３０は、フィールドＦ７「第２管理対象ＩＤ」が「機器Ａ」を示すレコードＲ７を見つけると、当該レコードＲ７のフィールドＦ７「検索対象テーブル」に格納されているデータ（「第２収集テーブル」）と、フィールドＦ７「検索ワード」に格納されているデータ（「第１計測値」）と、を抽出する。なお、情報出力部３０は、複数のレコードＲ７を見つけた場合、見つけたすべてのレコードＲ７のデータを抽出する。
【０１３０】
次いで、情報出力部３０は、検索対象テーブルの中から、検索対象ワードと一致するデータを含むレコードを抽出する（ステップＳ３０３）。
【０１３１】
情報出力部３０は、特定したすべての管理対象Ｍに対応するデータを抽出するまで、ステップＳ３０１〜ステップＳ３０３の処理を繰り返す（ステップＳ３０５；Ｎｏ）。
【０１３２】
情報出力部３０は、特定したすべての管理対象Ｍに対応するデータを抽出すると（ステップＳ３０５；Ｙｅｓ）、利用者による出力指示を受け付けるまで待機する（ステップＳ３０７；Ｎｏ）。図９〜図１１を参照して説明した管理対象データ確認画面Ｇ１では、情報出力部３０は、マッピングテーブル２３０から抽出したデータ及び検索対象テーブルから抽出したデータに基づいて、データ項目表示欄ＧＬ１に種類別データに関する情報を表示させる。例えば、情報出力部３０は、フィールドＦ７「検索対象テーブル」に格納されているデータに基づいて、図１０を参照して説明した参照キー表示領域ＧＲ３に項目を表示させる。そして、情報出力部３０は、利用者によってデータ項目表示欄ＧＬ１に表示された項目（種類別データ）の中から所望の項目（種類別データ）が選択され、グラフボタンＧＢ２又はファイルボタンＧＢ３が押下されるまで待機する。
【０１３３】
情報出力部３０は、操作部２を介して、出力指示を受け付けると（ステップＳ３０７；Ｙｅｓ）、出力対象の種類別データを特定し、補助記憶装置６に一時的に記憶させたレコードＲ７の中から、特定した種類別データに対応するレコードＲ７を参照して、出力対象の種類別データを格納するテーブル（検索対象テーブル）を検索対象ワードで検索する。情報出力部３０は、検索対象テーブルから、検索対象ワードで見つけられたレコードを、特定した種類別データに該当する管理対象データＤとして抽出する。そして、情報出力部３０は、抽出した管理対象データＤに基づいて、グラフＧＨ１又はデータファイルＤＣ１を管理対象Ｍに関する情報として生成して出力する（ステップＳ３０９）。情報出力部３０は、管理対象Ｍに関する情報を出力すると、管理対象情報出力処理を終了し、図１５に示す情報出力処理に戻る。
【０１３４】
以上説明したように、上記実施の形態に係る統合データ管理装置１によれば、様々なデータ収集手段によって収集された管理対象データＤに基づく管理対象Ｍの情報が出力される。このため、利用者は、様々なデータ収集手段によって収集された管理対象データＤに基づく情報を横断的に把握できる。これにより、利用者は、生産現場Ｓに対する有効な保全策を検討し、実行することができる。すなわち、統合データ管理装置１によれば、生産現場Ｓの有効な保全を支援できる。
【０１３５】
また、上記実施の形態によれば、複数の管理対象Ｍは、基本分類方法と拡張分類方法との２つの分類方法に則って階層的に分類されて出力される。利用者は、２つの分類方法の中から所望の分類方法を選択することができる。これにより、利用者が所望する管理対象Ｍに関する情報へのアクセスが簡便になる。この結果、利用者は、管理対象Ｍに関する情報の把握が容易になり、生産現場Ｓに対する有効な保全策を検討し、実行することができる。
【０１３６】
また、上記実施の形態によれば、基本分類方法は、物理的な構成に基づいて決定される。物理的な構成による分類方法は、一般的に、利用者に理解されやすい。すなわち、物理的な構成に基づく分類方法は、利用者が所望する管理対象Ｍに関する情報へのアクセスを簡便にする。これにより、利用者は、管理対象Ｍに関する情報の把握が容易になり、生産現場Ｓに対する有効な保全策を検討し、実行することができる。
【０１３７】
また、上記実施の形態によれば、拡張分類方法は、例えば、役割など利用者ごとに異なる観点に適して決定され、複数の管理対象Ｍは、利用者の観点に適した分類方法に則って階層的に分類されて出力される。これにより、利用者が所望する管理対象Ｍに関する情報へのアクセスが簡便になる。この結果、利用者は、管理対象Ｍに関する情報の把握が容易になり、生産現場Ｓに対する有効な保全策を検討し、実行することができる。
【０１３８】
また、上記実施の形態によれば、データ収集部１０は、第１システムＳＹ１（第１外部データベースＧＤ１）及び第２システムＳＹ２（第２外部データベースＧＤ２）によって、生産現場Ｓから予め収集された管理対象データＤを統合データベース２０に収集する。すなわち、統合データ管理装置１は、既存のシステムのような統合データ管理装置１とは異なるデータベースに予め収集された管理対象データＤを容易に利用することができる。
【０１３９】
情報出力部３０は、図１１を参照して説明したグラフＧＨ１又は図１４を参照して説明したデータファイルＤＣ１を出力する際に、出力する対象の種類別データを補間することができる。なお、管理対象データＤを補間するか否かは、利用者によって選択可能である。
【０１４０】
以下、図１８（ａ）及び図１８（ｂ）を参照して、実施の形態に係る情報出力部３０による管理対象データＤの補間について説明する。図１８（ａ）及び図１８（ｂ）は、実施の形態に係る管理対象データＤの補間を説明するための図である。なお、図１８（ａ）及び図１８（ｂ）では、１分周期、３分周期、５分周期で収集された振動数のデータを例に説明する。
【０１４１】
図１８（ａ）及び図１８（ｂ）に示すように、管理対象データＤは、複数のタイミングにおける、すなわち、一定の時間間隔で収集されたデータ群を含む。以下、一定の時間間隔で収集されたデータ群を「周期データ群ＤＰ」という。周期データ群ＤＰは、管理対象Ｍを監視する監視機器などに応じて、１分周期、３分周期などの異なる周期で収集される周期データ群ＤＰを複数含む。以下、異なる周期で収集される周期データ群ＤＰで構成される周期データ群ＤＰを「異周期データ群ＤＤ」という。異周期データ群ＤＤは、時間間隔が最も短い最短周期データＤＳと、最短周期データＤＳ以外の補間対象データＤＡと、を含む。情報出力部３０は、異周期データ群ＤＤを出力する際、出力対象の異周期データ群ＤＤのうち、補間対象データＤＡを補間する。
【０１４２】
詳しくは、情報出力部３０は、補間対象データＤＡが含むデータの時間間隔が、最短周期データＤＳが含むデータの時間間隔と一致するように補間対象データＤＡを補間する。
【０１４３】
補間対象データＤＡの補間法は、内挿、同値（収集周期が前又は後ろの値と同じ値）などで補間する方法を含む。補間法は、利用者によって任意に設定できる。また、利用者は、監視対象又は監視機器ごとに補間法を変更することもできる。
【０１４４】
例えば、図１８（ａ）に示すように、１分周期の振動数のデータは、計測日時「２０１９．０６．１０  ００：００」〜「２０１９．０６．１０  ００：１１」のすべてのデータ（値）を有する。
【０１４５】
３分周期の振動数のデータは、計測日時「２０１９．０６．１０  ００：００」〜「２０１９．０６．１０  ００：１１」のうち、「２０１９．０６．１０  ００：００」、「２０１９．０６．１０  ００：０３」、「２０１９．０６．１０  ００：０６」、「２０１９．０６．１０  ００：０９」のデータのみを有する。
【０１４６】
５分周期の振動数のデータは、計測日時「２０１９．０６．１０  ００：００」〜「２０１９．０６．１０  ００：１１」のうち、「２０１９．０６．１０  ００：００」、「２０１９．０６．１０  ００：０５」、「２０１９．０６．１０  ００：１０」のデータのみを有する。すなわち、３つの振動数のデータのうち、１分周期の振動数のデータが最短周期データＤＳに相当し、３分周期及び５分周期の振動数のデータが補間対象データＤＡに相当する。そこで、図１８（ｂ）に示すように、３分周期及び５分周期の振動数のデータが、情報出力部３０によって補間される。
【０１４７】
例えば、３分周期の振動数のデータは、同値補間される。図１８（ｂ）に示すように、３分周期の振動数「２０１９．０６．１０  ００：０１」及び「２０１９．０６．１０  ００：０２」のデータは、「２０１９．０６．１０  ００：００」と同じデータ（値）で補間される。
【０１４８】
また、例えば、５分周期の振動数のデータは、内挿補間される。図１８（ｂ）に示すように、５分周期の振動数「２０１９．０６．１０  ００：０１」「２０１９．０６．１０  ００：０２」、「２０１９．０６．１０  ００：０３」、「２０１９．０６．１０  ００：０４」のデータは、「２０１９．０６．１０  ００：００」から「２０１９．０６．１０  ００：０５」までのデータに順次近づくように値が補間される。
【０１４９】
上述のように、情報出力部３０が管理対象データＤを補間することにより、収集周期の異なる管理対象データＤの比較が容易になり、利用者の利便性が向上する。
【０１５０】
上記の複数の管理対象Ｍを分類する方法は、実施の形態で説明した２つに限定されず、１つ又は３つ以上であってもよい。複数の管理対象Ｍを分類する方法が１つの場合、複数の管理対象Ｍは、基本分類方法に則って分類される。すなわち、拡張分類方法は省略される。
【０１５１】
また、複数の管理対象Ｍを分類する方法が３つ以上の場合、複数の管理対象Ｍは、１つの基本分類方法と、２つ以上の拡張分類方法とに則って分類される。
【０１５２】
上記基本分類方法は、利用者に広く把握される分類方法であればよく、物理的な構成に基づく分類方法に限定されない。
【０１５３】
また、上記拡張分類方法は、監視員の観点に基づく分類に限定されず、例えば、電気系統など電気作業員の観点に基づく分類方法、管理対象Ｍの制御系統など管理部門の管理員の観点に基づく分類方法であってもよい。
【０１５４】
実施の形態では、階層分類データは、複数の管理対象Ｍのそれぞれと、それぞれの管理対象Ｍの１つ下位の階層に位置する管理対象Ｍと、を関連付けるデータである場合を説明した。階層分類データは、管理対象Ｍの階層関係が規定できればよく、例えば、複数の管理対象Ｍのそれぞれと、それぞれの管理対象Ｍの１つ上位の階層に位置する管理対象Ｍと、を関連付けるデータであってもよい。
【０１５５】
実施の形態では、第１収集テーブル２１１のレコードＲ３の先頭フィールドＦ３及び第２収集テーブル２１２のレコードＲ４の先頭フィールドＦ４に日時を示すデータが格納される場合を説明した。第１収集テーブル２１１のレコードＲ３及び第２収集テーブル２１２のレコードＲ４のそれぞれは、日時を示すデータが格納されるフィールドＦ３、Ｆ４を含めばよく、日時を示すデータが格納されるフィールドＦ３、Ｆ４は、先頭に限定されない。第１収集テーブル２１１のレコードＲ３及び第２収集テーブル２１２のレコードＲ４のそれぞれに、日時を示すデータが格納されることにより、異なるデータ収集手段によって収集された管理対象データＤを統合して管理し易くなる。
【０１５６】
上記管理対象データＤを収集する手段は、実施の形態で説明した２つに限定されず、３つ以上であってもよい。
【０１５７】
実施の形態では、統合データ管理装置１が、第１外部データベースＧＤ１及び第２外部データベースＧＤ２から管理対象データＤを収集した。統合データ管理装置１は、第１外部データベースＧＤ１及び第２外部データベースＧＤ２から管理対象データＤを収集することに加え、生産現場Ｓから管理対象データＤを直接収集してもよい。
【０１５８】
また、データ収集部１０が管理対象データＤを収集するタイミングは、第１外部データベースＧＤ１又は第２外部データベースＧＤ２が更新される度に限定されず、例えば、１日１回予め定められた時間など、例えば、統合データ管理装置１の管理者によって任意に設定できる。
【０１５９】
実施の形態では、第１外部テーブルＧＴ１と第２外部テーブルＧＴ２とのテーブル構造が異なる場合を説明した。第１外部テーブルＧＴ１と第２外部テーブルＧＴ２とのテーブル構造は共通化されていてもよい。
【０１６０】
また、実施の形態では、第１外部テーブルＧＴ１、第２外部テーブルＧＴ２、第１収集テーブル２１１及び第２収集テーブル２１２のそれぞれが複数である場合を説明した。第１外部テーブルＧＴ１、第２外部テーブルＧＴ２、第１収集テーブル２１１及び第２収集テーブル２１２のうちの少なくとも１つは、複数でなくてもよい。
【０１６１】
なお、上記第１収集テーブル２１１のレコードＲ１及び第２収集テーブル２１２のレコードＲ２は、日時データのように共通する種類であって、併合して一意に順序づけられるデータを含む限り特に限定されず、管理対象データＤの種類、用途などによって適宜変更可能である。
【０１６２】
上記基本分類テーブル２２１のレコードＲ５は、図６（ｂ）を参照して説明した以外のフィールドＦ５を含んでもよい。同様に、拡張分類テーブル２２２は、図７（ｂ）を参照して説明したフィールドＦ６以外を含んでもよい。
【０１６３】
また、上記マッピングテーブル２３０のレコードＲ７は、図８を参照して説明したフィールドＦ７以外を含んでもよい。
【０１６４】
上記実施の形態は、例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また、特許請求の範囲に記載した発明と均等な発明も本発明に含まれる。
【符号の説明】
【０１６５】
１        統合データ管理装置
１０      データ収集部
２０      統合データベース
３０      情報出力部
２１０    データ格納部（データ格納テーブル）
２２０    階層分類データ格納部（分類テーブル）
２３０    マッピングデータ格納部（マッピングテーブル）
【図１】
2022000736.tif 000003
【図２Ａ】
2022000736.tif 000004
【図２Ｂ】
2022000736.tif 000005
【図３】
2022000736.tif 000006
【図４】
2022000736.tif 000007
【図５】
2022000736.tif 000008
【図６】
2022000736.tif 000009
【図７】
2022000736.tif 000010
【図８】
2022000736.tif 000011
【図９】
2022000736.tif 000012
【図１０】
2022000736.tif 000013
【図１１】
2022000736.tif 000014
【図１２】
2022000736.tif 000015
【図１３】
2022000736.tif 000016
【図１４】
2022000736.tif 000017
【図１５】
2022000736.tif 000018
【図１６】
2022000736.tif 000019
【図１７】
2022000736.tif 000020
【図１８】
2022000736.tif 000021